(57)【要約】      （修正有）【課題】寝ている病人等をベッドから動かすことなく、その身体の全体にわたって温熱及びシャワーマッサージを施すことが可能なベッド装置。【解決手段】ベッド本体１上に位置する複数の溝２ａを形成したマットレス２と、各溝２ａに昇降自在に配した同数同配列の水平支持棒３ａと、ベッド本体１の足部載置側の骨格部材５ｂ及び頭部載置側と足部載置部間を摺動移動可能な骨格部材５ａと、両骨格部材５ａ、５ｂ間を両側上部で繋ぐ二本の伸縮連結棒６と、二つの伸縮連結棒６にスライド自在に配した蒸気の噴射、温水の噴霧及び冷風又は温風の吹き出しを兼用する兼用噴出手段７と、浮上させた水平支持棒３ａの下方に配する箱形防水容器と、その箱形防水容器上を被覆すべく配する箱形防水カバーと、兼用噴出手段７に蒸気、温水及び冷風又は温風を供給する供給手段とで構成した。【選択図】図１
0003142433.tif 000002
【実用新案登録請求の範囲】
【請求項１】
四隅の脚体及び該脚体に支持される平面視で長方形の台板部を備えたベッド本体と、
該ベッド本体の台板部に配したマットレスであって、その長さ方向に直交する複数の溝を形成したマットレスと、
該マットレスの各溝に昇降自在に配した同数同配列の水平支持棒、各水平支持棒の両端から垂下する昇降作動棒及び該各昇降作動棒を昇降駆動する昇降駆動手段からなる浮上手段と、
前記ベッド本体の両側に配したガイド棒と、
上部水平部及びその両端から垂下する両側脚部からなる逆Ｕ字形の二つの骨格部材であって、前記ベッド本体の両側のガイド棒の足部載置側にその下端を取り付けた後部用の骨格部材、並びに前記ベッド本体の両側のガイド棒の頭部載置側にその下端を該ガイド棒に沿ってスライド移動自在に取り付けた前部用の骨格部材と、
該前後の骨格部材間をベッド本体の両側部に対応する上部側で繋ぐ伸縮連結棒と、
該伸縮連結棒にスライド自在に配した蒸気の噴射の噴出、温水の噴霧及び冷風又は温風の吹き出しを兼用する兼用噴出手段と、
前記浮上手段を浮上させた場合に、その状態で、ベッド本体のマットレス上であって、該浮上手段の水平支持棒の下方に配する上部開口の箱形防水容器と、
前記二つの骨格部材及び前記二つの伸縮連結棒の外側から前記箱形防水容器上を被覆すべく配する下部開口の箱形防水カバーであって、その四側の内、ベッド本体の頭部載置側の部位に寝ている人の頭部を突き出すための開口部を開口し、またその四側カバー部の下部に、対応する位置関係で形成した切欠を通じて、前記浮上手段の水平支持棒の端部を突出させ、かつ該二つの骨格部材の両側の脚部の途中から下方を外部に露出させながら、該四側カバー部の下部を前記箱形防水容器の内側に装入すべく配する箱形防水カバーと、
前記兼用噴出手段に蒸気を供給する蒸気供給手段、温水を供給する温水供給手段及び冷風又は温風を供給する冷風・温風供給手段からなる供給手段とで構成したベッド装置。
【請求項２】
前記マットレスを、上部槽と下部槽の二層に構成し、上部槽を低反発マットで構成し、下部槽を通常のマットで構成した請求項１のベッド装置。
【請求項３】
前記浮上手段の両側の昇降作動棒は、いずれも、一方をＬ型に、他方を逆Ｌ型に構成し、対応する両側の昇降作動棒の下部水平部の先端相互を突き合わせ状態にし、かつ全昇降作動棒の突き合わせ部を、これらと直交する向きの水平連結材で連結し、
前記昇降駆動手段は、該水平連結材を介して該昇降作動棒を昇降駆動するように構成した請求項１又は２のベッド装置。
【請求項４】
前記二つの骨格部材の内、前記ベッド本体の頭部載置側及び足部載置側の間を移動可能に配設した骨格部材の脚部の下端には、前記ガイド棒にスライド自在に外装する摺動連結パイプを固設した請求項１、２又は３のベッド装置。
【請求項５】
前記兼用噴出手段を、両側の伸縮連結棒に各々スライド自在に外装する摺動パイプと、各摺動パイプに回動自在にピン結合した管状噴出手段本体と、該管状噴出手段本体から突出させたノズル部と、該摺動パイプを伸縮連結棒に沿って往復スライド移動させるスライド駆動手段とで構成した請求項１、２、３又は４のベッド装置。
【請求項６】
前記スライド駆動手段を、前記伸縮連結棒の一端に配した遊動車と、他端に配した駆動車と、前記摺動パイプの両端にその両端を結合し、該遊動車及び該駆動車に掛け渡したワイヤ部材と、該駆動車を正逆回転させる回転駆動体とで構成した請求項５のベッド装置。
【考案の詳細な説明】
【技術分野】
【０００１】
本考案は、寝たきりの老人や病人等が寝たままでスチームやシャワーを浴びることができる入浴可能なベッド装置に関する。
【背景技術】
【０００２】
この種のベッド装置又はこれに関連する装置にはいくつかの提案がある。
その一つは、浴用カバー及びこれを用いた介護用入浴装置（特許文献１）であり、これは、ベッドの上に敷く、下カバーと、空気を圧入することで、該下カバーの上にかまぼこ形のフレームを構成する骨チューブと、該骨チューブで支持され、該下カバーと相まってかまぼこ形空間を作る上カバーと、その中に横たわったままで身体を装入する使用者の胸付近をカバーする延長補助材（カバー）と、該延長補助材を使用者の胸付近に水密状態に装着する着脱具（ベルト）と、前記下カバー及び上カバー等によって構成されるかまぼこ形空間内に温水シャワーを供給する温水シャワー供給装置と、温水の供給後に温風を供給する温風供給装置と、排水を受け取る排水槽と、温風供給装置、温水シャワー供給装置及び排水槽を搬送する搬送供給装置とで構成したものである。
【０００３】
従ってこの介護入浴装置によれば、ベッドで寝たきりとなっている老人や病人等の胸部以下の部位についてベッドに寝たままで入浴を行うことが可能であると思われる。しかしこの介護装置を使用するためには、ベッドで横たわっている使用者の下に前記下カバーを挿入する必要があり、これが介助者にとって重労働であり、なかなか厄介な作業となる。また使用者は、下カバーの上に載った状態であるので、背中側に十分に温水を掛けることができないし、排水後の温風も十分に当てることのできない問題もある。従って入浴の終了後に、介助者がその使用者を起こして、その背中側を、改めてタオルで拭くとかの作業を必要とすることになる。
【０００４】
もう一つは、シャワーが可能なベッド装置（特許文献２）であり、前後端に立ち上がる前後の端板及び左右側部に立ち上がる両側板を備え、水密性を確保したベッド本体と、該ベッド本体の床面上に着脱自在に配したマットレスと、該ベッド本体を脚部側が低くなるように傾斜可能に支持する支持手段とで構成したものである。
【０００５】
従ってベッド装置によれば、普段は、これを水平に保持して、病人等の使用者は、その上のマットレス上に横たわり、一般のベッドと同様に使用することができる。入浴の際は、上記マットレスを取り除いて、このベッド装置を浴槽のように用いてその中に湯を入れて使用することができる。或いは、シャワー手段を別に用意して、これにより横たわる入浴者にシャワーを掛けることができる。このとき、前記支持手段を操作して脚部側を下にした傾斜状態にすることができることがこの装置の特徴であり、これによって入浴者の脚力の低下を防止しようとするものである。
【０００６】
このベッド装置は、前記のような構成で、以上のように使用するものであり、入浴の際にマットレスを取り除く作業は、寝ている病人等を動かす必要があり、重筋作業で、大変厄介な作業である。また入浴者の背中側は寝ている関係上、シャワーを掛ける等の処理は容易ではない。
【０００７】
【特許文献１】特開２００６−１２２０９５号公報
【特許文献２】特開２００３−７９６９４号公報
【考案の開示】
【考案が解決しようとする課題】
【０００８】
本考案は、ベッドに寝ている病人等を介助者が重筋作業をすることなく、その身体の全体にわたって温熱、シャワー及びシャワーマッサージ並びにエアマッサージを施すことが可能であり、かつ入浴後の乾燥を行うことも可能なベッド装置を提供することを解決の課題とする。
【課題を解決するための手段】
【０００９】
本考案の１は、四隅の脚体及び該脚体に支持される平面視で長方形の台板部を備えたベッド本体と、
該ベッド本体の台板部に配したマットレスであって、その長さ方向に直交する複数の溝を形成したマットレスと、
該マットレスの各溝に昇降自在に配した同数同配列の水平支持棒、各水平支持棒の両端から垂下する昇降作動棒及び該各昇降作動棒を昇降駆動する昇降駆動手段からなる浮上手段と、
前記ベッド本体の両側に配したガイド棒と、
上部水平部及びその両端から垂下する両側脚部からなる逆Ｕ字形の二つの骨格部材であって、前記ベッド本体の両側のガイド棒の足部載置側にその下端を取り付けた後部用の骨格部材、並びに前記ベッド本体の両側のガイド棒の頭部載置側にその下端を該ガイド棒に沿ってスライド移動自在に取り付けた前部用の骨格部材と、
該前後の骨格部材間をベッド本体の両側部に対応する上部側で繋ぐ伸縮連結棒と、
該伸縮連結棒にスライド自在に配した蒸気の噴射の噴出、温水の噴霧及び冷風又は温風の吹き出しを兼用する兼用噴出手段と、
前記浮上手段を浮上させた場合に、その状態で、ベッド本体のマットレス上であって、該浮上手段の水平支持棒の下方に配する上部開口の箱形防水容器と、
前記二つの骨格部材及び前記二つの伸縮連結棒の外側から前記箱形防水容器上を被覆すべく配する下部開口の箱形防水カバーであって、その四側の内、ベッド本体の頭部載置側の部位に寝ている人の頭部を突き出すための開口部を開口し、またその四側カバー部の下部に、対応する位置関係で形成した切欠を通じて、前記浮上手段の水平支持棒の端部を突出させ、かつ該二つの骨格部材の両側の脚部の途中から下方を外部に露出させながら、該四側カバー部の下部を前記箱形防水容器の内側に装入すべく配する箱形防水カバーと、
前記兼用噴出手段に蒸気を供給する蒸気供給手段、温水を供給する温水供給手段及び冷風又は温風を供給する冷風・温風供給手段からなる供給手段とで構成したベッド装置である。
【００１０】
本考案の２は、本考案の１のベッド装置に於いて、前記マットレスを、上部槽と下部槽の二層に構成し、上部槽を低反発マットで構成し、下部槽を通常のマットで構成したものである。
【００１１】
本考案の３は、本考案の１又は２のベッド装置に於いて、前記浮上手段の両側の昇降作動棒は、いずれも、一方をＬ型に、他方を逆Ｌ型に構成し、対応する両側の昇降作動棒の下部水平部の先端相互を突き合わせ状態にし、かつ全昇降作動棒の突き合わせ部を、これらと直交する向きの水平連結材で連結し、
前記昇降駆動手段は、該水平連結材を介して該昇降作動棒を昇降駆動するように構成したものである。
【００１２】
本考案の４は、本考案の１、２又は３のベッド装置に於いて、前記二つの骨格部材の内、前記ベッド本体の頭部載置側及び足部載置側の間を移動可能に配設した骨格部材の脚部の下端には、前記ガイド棒にスライド自在に外装する摺動連結パイプを固設したものである。
【００１３】
本考案の５は、請求項１、２、３又は４のベッド装置に於いて、前記兼用噴出手段を、両側の伸縮連結棒に各々スライド自在に外装する摺動パイプと、各摺動パイプに回動自在にピン結合した管状噴出手段本体と、該管状噴出手段本体から突出させたノズル部と、該摺動パイプを伸縮連結棒に沿って往復スライド移動させるスライド駆動手段とで構成したものである。
【００１４】
本考案の６は、本考案の５のベッド装置に於いて、前記スライド駆動手段を、前記伸縮連結棒の一端に配した遊動車と、他端に配した駆動車と、前記摺動パイプの両端にその両端を結合し、該遊動車及び該駆動車に掛け渡したワイヤ部材と、該駆動車を正逆回転させる回転駆動体とで構成したものである。
【考案の効果】
【００１５】
本考案の１のベッド装置によれば、寝たきりの老人や病人をベッドから動かすことなく、入浴させることが可能である。しかも、老人等の入浴者を、介助者の労力を用いることなく、浮上させ、全身をくまなく加温したり、洗浄したり、或いは乾燥させることが可能であり、入浴者を快適にすることができる。また、以上の入浴機能は、噴出する蒸気や温水による加温及びこれらによるマッサージ効果を得ることが可能であり、入浴者の身体の各部の活性化に有効である。更に入浴後も簡単にベッド上への寝た状態に戻すことができる。
【００１６】
またそのための構成が比較的簡明であり、容易に構成可能である。
【００１７】
本発明の２のベッド装置によれば、マットレスを二層構造にし、上部槽を低反発マットで構成したため、以上のような入浴機能と相まって、長い間寝たきりとなっている老人等であっても、褥瘡の発生の虞を低減することができるものである。
【００１８】
本考案の３のベッド装置によれば、ベッド上に寝ている老人等を入浴のために浮上させる浮上手段を簡明に構成することができる。
【００１９】
本発明の４のベッド装置によれば、二つの骨格部材の内、ベッド本体の側部を長さ方向に沿ってスライドする側のそれを、より簡明で確実にスライドできるように構成することができる。
【００２０】
本考案の５のベッド装置によれば、蒸気、温水、冷風又は温風を噴出供給する兼用噴出手段をより簡明に構成することができる。
【００２１】
本考案の６のベッド装置によれば、スライド駆動手段を極めて簡明に構成し得、かつ前記兼用噴出手段を伸縮連結棒に沿ってスムーズにかつ確実に往復スライド動作させることができるものとなる。
【考案を実施するための最良の形態】
【００２２】
考案を実施するための最良の形態を実施例に基づいて説明する。
【００２３】
この実施例のベッド装置は、図１及び図７に示すように、ベッド本体１と、マットレス２と、マットレス２上に寝ている人をマットレス２上から浮上させる浮上手段３と、ベッド本体１の両側に配したガイド棒４、４と、入浴用の閉じた空間を作るためのフレームをなす骨格部材５ａ、５ｂ及びその間を伸縮自在に繋ぐ伸縮連結棒６、６と、該伸縮連結棒６、６にスライド自在に配した蒸気、温水及び温風又は冷風を噴射するための兼用噴出手段７、７と、入浴用の閉じた空間の底部を構成する箱形防水容器８と、前記骨格部材５、５及び伸縮連結棒６、６で形成された空間フレームを利用して前記入浴用の閉じた空間の上部を形成する箱形防水カバー９と、前記兼用噴出手段７、７に、蒸気を、温水及び冷風又は温風を供給する供給手段１０とで構成したものである。
【００２４】
前記ベッド本体１は、図１〜図３に示すように、四隅の脚体１ａ、１ａ…及び該脚体１ａ、１ａ…に支持される平面視で長方形の台板部１ｂとで構成したものであり、前記マットレス２は、一般のそれと同様に、該ベッド本体１の台板部１ｂ上に載置してある。該マットレス２は、上部槽と下部槽の二層構造に構成し、その上部槽を低反発マットで、下部槽を通常のマットでそれぞれ構成し、更にその長さ方向に直交する複数の溝２ａ、２ａ…を形成したものである。
【００２５】
前記浮上手段３は、図１〜図３に示すように、該マットレス２の各溝２ａ、２ａ…中に昇降自在に配した同数同配列の水平支持棒３ａ、３ａ…と、各水平支持棒３ａ、３ａ…の両端から垂下する昇降作動棒３ｂ、３ｂ…と、該各昇降作動棒３ｂ、３ｂ…を水平連結板（水平連結材）３ｃを介して昇降駆動する二つのエアジャッキ（昇降駆動手段）３ｄ、３ｄとで構成したものである。
【００２６】
前記各水平支持棒３ａ、３ａ…の各両側の昇降作動棒３ｂ、３ｂは、図１及び図５に示すように、いずれも、一方をＬ型に、他方を逆Ｌ型に構成し、対応する両側の昇降作動棒３ｂ、３ｂの下部水平部３ｂ１、３ｂ１の先端相互を突き合わせ状態にし、かつ全昇降作動棒３ｂ、３ｂ…の突き合わせ部を、これらと直交する向きに配した水平連結板３ｃで連結し、該水平連結板３ｃを介してその下部に上端を固定した前記エアジャッキ３ｄ、３ｄで全昇降作動棒３ｂ、３ｂ…及びそれらの上部の水平支持棒３ａ、３ａ…を昇降駆動するように構成する。
【００２７】
前記ガイド棒４、４は、図１〜図３に示すように、棒本体４ａと、その両端に付設したブロック部材４ｂ、４ｂとで構成してものであり、該ブロック部材４ｂ、４ｂを、それぞれベッド本体１の側部の前端と後端に固設し、これらを介してベッド本体１の側部に棒本体４ａを取り付ける。従って棒本体４ａ、４ａは、ベッド本体１の側部、特に台板部１ｂの側部との間にブロック部材４ｂの厚み分の間隔を空けて配されたことになる。
【００２８】
前記骨格部材５ａ、５ｂは、図１〜図４(a)に示すように、それぞれ上部水平部５ａ１、５ｂ１と、その両端から垂下する両側脚部５ａ２、５ａ２、５ｂ２、５ｂ２とで構成した逆Ｕ字形の本体部分と、各々その両側脚部５ａ２、５ａ２、５ｂ２、５ｂ２の下端に結合した摺動連結パイプ５ａ３、５ａ３、５ｂ３、５ｂ３とで構成したものである。いずれもその本体部分は一本のパイプ材を折曲加工して上記のような逆Ｕ字形に作成したものである。
【００２９】
該骨格部材５ａ、５ｂは、図１〜図３に示すように、いずれも前記両側のガイド棒４、４の間隔の幅に構成し、同図及び図４(a)に示すように、両側脚部５ａ２、５ａ２、５ｂ２、５ｂ２の下端の摺動連結パイプ５ａ３、５ａ３、５ｂ３、５ｂ３は、いずれも該ガイド棒４、４にその長さ方向に沿ってスライド可能に外装する。以上の二つの骨格部材５ａ、５ｂの内、後者は、ベッド本体１の足部載置側に配置し、前者は後者より頭部載置側寄りに配置する。両者ともガイド棒４、４に沿ってベッド本体１の頭部載置側及び足部載置側の間を移動可能であるが、動かすことが必要なのは前者、即ち、骨格部材５ａのみであり、後者の骨格部材５ｂは、足部載置側端に位置させて動かさない。
【００３０】
二つの骨格部材５ａ、５ｂは、図１〜図４(a)に示すように、一方の上部水平部５ａ１及び両側脚部５ａ２、５ａ２の境界付近と、他方の上部水平部５ｂ１及び両側脚部５ｂ２、５ｂ２の境界付近との間を前記伸縮連結棒６、６で結合する。図４(a)に示すように、いずれも骨格部材５ａ、５ｂと伸縮連結棒６、６との連結部はピン結合とし、相互の結合角度の変更が可能になっている必要がある。
【００３１】
前記伸縮連結棒６、６は、大径のパイプに順次少しずつ小径となる複数のパイプが内装され、これを順次引き出しても、ストッパによって隣接する相互は、若干の重なり合いを持った状態以上には抜けないように構成されたものである。
【００３２】
従って二つの骨格部材５ａ、５ｂは、二本の伸縮連結棒６、６によってその間隔を伸縮可能な状態で結合することができるものである。
【００３３】
前記兼用噴出手段７、７は、図１〜図４(a)に示すように、両側の伸縮連結棒６、６に各々スライド自在に外装する摺動パイプ７ａ、７ａと、各摺動パイプ７ａ、７ａに回動自在にピン結合した管状噴出手段本体７ｂ、７ｂと、該管状噴出手段本体７ｂ、７ｂから各々二つずつ突出させたノズル部７ｃ、７ｃと、該摺動パイプ７ａ、７ａを前記伸縮連結棒６、６に沿って往復スライド移動させるスライド駆動手段７ｄとで構成したものである。
【００３４】
該スライド駆動手段７ｄは、図４(b)に示すように、前記伸縮連結棒６の一端に配した遊動車７ｄ１と、他端に配した駆動車７ｄ２と、前記摺動パイプ７ａの両端にその両端を結合し、該遊動車７ｄ１及び該駆動車７ｄ２に掛け渡したワイヤ部材７ｄ３と、該駆動車７ｄ２を正逆回転させる回転駆動体７ｄ４とで構成したものである。回転駆動体７ｄ４としては、電動モータを用いることができる。これは、前記伸縮連結棒６を短縮させた際に前記ワイヤ部材７ｄ３が遊動車７ｄ１及び駆動車７ｄ２から外れやすいので、これを伸長させる毎に掛け直すようにする。作業は極めて簡単である。
【００３５】
前記箱形防水容器８は、図７に示すように、防水シートで構成した上部開口かつ平面視四辺形の容器状部材であり、前記浮上手段３のエアジャッキ３ｄ、３ｄを浮上動作させ、昇降作動棒３ｂ、３ｂ…を介して水平支持棒３ａ、３ａ…を最上部（上昇限界）まで上昇させた状態で、その水平支持棒３ａ、３ａ…、昇降作動棒３ｂ、３ｂ…及びベッド本体１のマットレス２で囲まれた空間内、かつベッド本体１の頭部載置部を除く空間内に配置し得るほぼ最大のサイズに構成したものである。前記のように、この箱形防水容器８は、入浴用の閉じた空間の底部を構成するものとなる。
【００３６】
前記箱形防水カバー９は、図４に示すように、防水シートで構成した下部開口かつ平面視四辺形の容器状部材であり、ベッド本体１上に、前記箱形防水容器８と合わさってほぼ十分に閉じたと云える入浴用空間を作り出すための部材である。即ち、該箱形防水カバー９は、前記二つの骨格部材５ａ、５ｂ及び前記二つの伸縮連結棒６、６の外側から前記箱形防水容器８上を被覆すべく配する部材であって、セットする際には、その四側辺下部を該箱形防水容器８中に装入して使用するように構成したものである。
【００３７】
またそのように使用するものであるため、該箱形防水カバー９の四側の内、ベッド本体１の頭部載置側の側辺には、寝たままで入浴する人の頭部を突き出すための開口部９ａを開口し、またベッド本体１の側部側の側辺下部には、前記浮上手段３の水平支持棒３ａ、３ａ…の両端に対応する位置関係及び前記骨格部材５ａ、５ｂの両側脚部５ａ２、５ａ２、５ｂ２、５ｂ２に対応する位置関係で切欠９ｂ、９ｂ…を形成し、該切欠９ｂ、９ｂ…から該水平支持棒３ａ、３ａ…の両端及び該骨格部材５ａ、５ｂの両側脚部５ａ２、５ａ２、５ｂ２、５ｂ２の途中から下部を露出させながら、それらの側辺下部を前記箱形防水容器８の対応する辺の内側に装入することができるようにしてある。
【００３８】
前記供給手段１０は、図６に示すように、蒸気供給手段１０ａと、温水供給手段１０ｂと、冷風・温風供給手段１０ｃとを組み合わせて構成したものであり、それぞれの吐出口を電磁切換弁１０ｄを介して供給管１０ｅの一端に接続し、該供給管１０ｅの他端は、二つに分岐させ、各々を前記兼用噴出手段７、７に接続したものである。またこの供給手段には、排水タンク１０ｆも付設してある。
【００３９】
前記蒸気供給手段１０ａは、小型のボイラ装置と、燃料タンクと、原料水のタンクとで構成したものであり、前記温水供給手段１０ｂも小型のボイラ装置と、燃料タンクと、原料水のタンクとで構成したものである。該蒸気供給手段１０ａと該温水供給手段１０ｂの燃料タンクと原料水タンクは相互に一つのそれを兼用したものである。また前記冷風・温風供給手段１０ｃは、ブロワと、該ブロワで発生された冷風を必要に応じて加熱する電熱ヒータ及び熱交換用のフィン部材とで構成したものである。
【００４０】
前記箱形防水容器８の最下部側方には、図示しない排水口が開口してあり、該排水口には排水ホースが接続してあり、前記供給手段１０に付設した排水タンク１０ｆに接続してある。
【００４１】
前記二つの骨格部材５ａ、５ｂには、図示しない温度センサが配してあり、前記箱形防水容器８及び前記箱形防水カバー９によって囲まれた入浴空間内の温度を測定できるようになっている。
【００４２】
またこのベッド装置には、図示しない制御盤が用意してあり、これには、該供給手段１０の蒸気供給手段１０ａ、温水供給手段１０ｂ及び冷風・温風供給手段１０ｃをそれぞれオンオフ制御するタイマー付きのスイッチボタン、前記温度センサによる前記入浴空間内の検出結果温度を表示する温度表示部、前記浮上手段３のエアジャッキ３ｄ、３ｄの上昇・下降動作を制御するスイッチボタン、及び兼用噴出手段７、７を前記伸縮連結棒６、６に沿ってスライド往復動させるスライド駆動手段７ｄの回転駆動体７ｄ４をオンオフ制御するスイッチボタンが配してあり、このベッド装置のオペレータは、これを利用してこのベッド装置を制御することができる。
【００４３】
この実施例のベッド装置によれば、前記浮上手段３を下降状態にしておけば、図３に示すように、その水平支持棒３ａ、３ａ…は、マットレス２の溝２ａ、２ａ…中に埋没した状態になり、また前記骨格部材５ａ、５ｂの前者を、前記伸縮連結棒６、６を縮小させながら前記ベッド本体１の足部載置側に移動させ、かつ前記箱形防水容器８及び前記箱形防水カバー９を、同様に、該ベッド本体１の足部載置側に押し潰し状態に畳んでおけば、マットレス２上には、何も不都合な物がなくなり、その上に、一般のベッドと同様に、寝たきりの老人や病人等は全く不都合無く寝ることができることになる。
【００４４】
このベッドに寝ている人を入浴させる場合は、まず上掛けを取り除き、衣服を脱がせた上で、前記制御盤を操作して、前記浮上手段３のエアジャッキ３ｄ、３ｄを上昇駆動させ、前記水平支持棒３ａ、３ａ…を上昇させる。該水平支持棒３ａ、３ａ…は、この実施例では、前記マットレス２の上面から３０ｃｍの高さで停止するようになっている。こうしてマットレス２上に寝ていた人は、該水平支持棒３ａ、３ａ…によってマットレス２の上面から約３０ｃｍの高さの位置に浮上させられることになる。
【００４５】
この後、ベッド本体１の足部載置側に押し潰してあった前記箱形防水容器８を引き伸ばしながら、前記浮上手段３の水平支持棒３ａ、３ａ…の上に載った人の下方に位置させるようにする。こうした上で、ベッド本体１の足部載置側に移動させてあった前記骨格部材５ａを頭部載置側に移動させる。これは、前記両ガイド棒４、４にスライド自在に外装した両側脚部５ａ２、５ａ２の下端の摺動連結パイプ５ａ３、５ａ３を頭部載置側にスライド移動させることによって、そのようにすることができる。このとき、該骨格部材５ａに被った状態でベッド本体１の足部載置側に折り畳まれていた前記箱形防水カバー９は、該骨格部材５ａと共に頭部載置側に引き伸ばされ、前記箱形防水容器８の上部全体をカバーするようになる。
【００４６】
この状態で、該箱形防水カバー９の、ベッド本体１の頭部載置側の側辺に開口した開口部９ａから、浮上手段３の水平支持棒３ａ、３ａ…上に寝ている人の頭部を突き出させ、必要に応じて、該開口部９ａに用意しておいた面状ファスナで、該開口部９ａの内縁をその首の周囲に密着させ、水密性が保持できるように閉じておくこととする。
【００４７】
またこのとき、該箱形防水カバー９の四側辺は、いずれもその下部を前記箱形防水容器８の内側に装入する。前記浮上手段３の水平支持棒３ａ、３ａ…及び前記骨格部材５ａ、５ｂの両側脚部５ａ２、５ａ２、５ｂ２、５ｂ２がこれを邪魔するが、側辺に形成した切欠９ｂ、９ｂ…からこれらを出すことにより、その問題を回避することができる。これらの切欠９ｂ、９ｂ…の水密性は、同様にこの部位に配しておいた面状ファスナを利用して該切欠９ｂ、９ｂ…の縁を該水平支持棒３ａ、３ａ…及び両側脚部５ａ２、５ａ２、５ｂ２、５ｂ２に密着させるようにすることにより確保することができる。
【００４８】
この後は、前記制御盤を操作して、前記供給手段１０を動作させ、入浴用の動作をさせる。
即ち、まず前記スライド駆動手段７ｄを動作開始させ、前記兼用噴出手段７、７を前記伸縮連結棒６、６に沿って往復動させる。これとほぼ同時に、前記供給手段１０を動作開始させ、まずその蒸気供給手段１０ａから蒸気を供給する。蒸気は、往復動作する兼用噴出手段７、７のノズル部７ｃ、７ｃから噴出され、前記箱形防水容器８及び前記箱形防水カバー９で囲まれた入浴空間を加熱する。こうして該入浴空間は約４５℃まで昇温され、これをある程度の時間、概ね５〜１０分間程度継続する。なお、この入浴空間内の温度は制御盤の表示部に表示される前記温度センサの検出結果で確認できる。こうして入浴空間内に位置する入浴者は、蒸気の熱で発汗作用が生じた状態となる。
【００４９】
この後、制御盤を操作して、該蒸気供給手段１０ａの蒸気供給動作から、前記温水供給手段１０ｂによる温水の供給動作に切り換える。この温水は、この実施例では、約３５℃に設定した。こうして、前記兼用噴出手段７、７…のノズル部７ｃ、７ｃから噴出される温水は入浴者の身体の上側及び下側に噴射され、マッサージ効果を生じさせつつ汗を流すことが出来る。この温水噴射は５〜１０分程度行う。なお噴射され、流れ落ちた温水は、前記排水口から排水ホースを通じて排水され、前記排水タンク１０ｆに流入して保管される。
【００５０】
更にこの後、前記制御盤を操作して、温水供給手段１０ｂによる温水の供給から冷風・温風供給手段１０ｃによる温風の供給に切り換える。こうして前記兼用噴出手段７、７…のノズル部７ｃ、７ｃから温風が噴出され、この温風により入浴者の身体の上側及び下側が乾燥されると同時に、エアーマッサージ効果が得られる。この温風の噴出も５〜１０分程度行う。なお、この温風の噴出を行う際には、予め前記箱形防水カバー９の頭部載置側の側辺の面状ファスナ及び他の側辺の切欠９ｂ、９ｂ…の面状ファスナをいずれも外し、開口部９ａ及び切欠９ｂ、９ｂ…から排風可能にしておく。なおまた、真夏の暑い時期等には、以上の温風に代えて冷風を噴出するように制御する。
【００５１】
温風の噴出が終了した後は、前記骨格部材５ａをベッド本体１の足部載置側に移動させ、同時に該箱形防水カバー９も足部載置側に折りたたみ状態にしながら移動させる。これは、手動操作により行う。以上の骨格部材５ａ及び箱形防水カバー９の動作は、該箱形防水カバー９の頭部載置側の側辺の面状ファスナ及び他の側辺の切欠９ｂ、９ｂ…の面状ファスナがいずれも前記のように、予め外してあるので、支障なく行うことができる。
【００５２】
こうして入浴空間の上部側が開くことになる。この段階で、前記箱形防水容器８をベッド本体１の頭部載置側の端部から押してベッド本体１の足部載置側に折り畳みながら移動させる。これは手動で行う。この後、制御盤を操作して、前記浮上手段３のエアジャッキ３ｄ、３ｄを下降動作させ、浮上していた水平支持棒３ａ、３ａ…を下降させ、前記マットレス２の溝２ａ、２ａ…中に埋没させる。
【００５３】
こうして該水平支持棒３ａ、３ａ…上に載っていた入浴者はマットレス２上に載った状態になる。入浴者は、前記温風で身体の表面が乾燥させられているので、そのままマットレス２上に載ることになっても支障はない。この後は、介助者が入浴者に下着等の衣服を着せ、上掛けを掛けてやれば、一般のベッドと同様になって、入浴者はそのままマットレス２上に寝ていることができる。
【００５４】
従ってこの実施例のベッド装置によれば、寝たきりの老人や病人をベッドから動かすことなく、入浴させることが可能である。しかも、老人等の入浴者を、介助者の労力を用いることなく、浮上させ、全身をくまなく加温したり、洗浄したり、或いは乾燥させることが可能であり、入浴者を快適にすることができる。また、以上の入浴機能は、噴出する蒸気や温水による加温及びこれらによるマッサージ効果を得ることが可能であり、入浴者の身体の各部の活性化に有効である。更に入浴後も簡単にベッド上への就寝状態に戻すことができる。
【図面の簡単な説明】
【００５５】
【図１】箱形防水容器及び箱形防水カバーを省略し、更に一部を二点鎖線で示した実施例のベッド装置の側部の斜め上方から見た概略斜視図。
【図２】箱形防水容器及び箱形防水カバーを省略し、浮上手段の水平支持棒を浮上させた状態のベッド装置の正面側上方から見た概略斜視図。
【図３】箱形防水容器及び箱形防水カバーを省略し、浮上手段の水平支持棒は浮上していない状態のベッド装置の正面側上方から見た概略斜視図。
【図４】(a)は前後の骨格部材、これを連結する伸縮連結棒及び該伸縮連結棒にスライド移動自在に配した兼用噴出手段を示した概略斜視図、(b)は伸縮連結棒、これに配した兼用噴出手段及びこれをスライド移動させるスライド駆動手段の概要を示した概略斜視図。
【図５】浮上手段の概略斜視図。
【図６】供給手段の概略説明図。
【図７】箱形防水容器及び箱形防水カバーの説明用概略斜視図。
【符号の説明】
【００５６】
１    ベッド本体
１ａ  ベッド本体の脚体
１ｂ  ベッド本体の台板部
２    マットレス
２ａ  マットレスの溝
３    浮上手段
３ａ  浮上手段の水平支持棒
３ｂ  水平支持棒の両端の昇降作動棒
３ｂ１  昇降作動棒の下部水平部
３ｃ  水平連結板（水平連結材）
３ｄ  エアジャッキ（昇降駆動手段）
４    ガイド棒
４ａ  ガイド棒の棒本体
４ｂ  ガイド棒に付設したブロック部材
５ａ、５ｂ  骨格部材
５ａ１、５ｂ１  骨格部材の上部水平部
５ａ２、５ｂ２  上部水平部から垂下する脚部
５ａ３、５ｂ３  上部水平部から垂下する脚部の摺動連結パイプ
６    伸縮連結棒
７    兼用噴出手段
７ａ  兼用噴出手段の摺動パイプ
７ｂ  管状噴出手段本体
７ｃ  ノズル部
７ｄ  スライド駆動手段
７ｄ１  遊動車
７ｄ２  駆動車
７ｄ３  ワイヤ部材
７ｄ４  回転駆動体
８    箱形防水容器
９    箱形防水カバー
９ａ  箱形防水カバーの開口部
９ｂ  切欠
１０  供給手段
１０ａ  蒸気供給手段
１０ｂ  温水供給手段
１０ｃ  冷風・温風供給手段
１０ｄ  電磁切換弁
１０ｅ  供給管
１０ｆ  排水タンク
【図１】
0003142433.tif 000003
【図２】
0003142433.tif 000004
【図３】
0003142433.tif 000005
【図４】
0003142433.tif 000006
【図５】
0003142433.tif 000007
【図６】
0003142433.tif 000008
【図７】
0003142433.tif 000009